(57)【要約】軒天板の軒元支持側から軒先支持側間の方向における軒天板のガタツキを防止できる軒天構造及び軒先側支持部材を提供する。軒天構造は、軒天板１７の軒先側を支持する軒先側支持部材３と、前記軒天板１７の軒元側を支持する軒元側支持部材２とを備えており、前記軒先側支持部材３は、前記軒天板１７を軒元側に押圧する方向へスライドできるスライド部材３１と、前記スライド部材３１をスライド可能に保持する一方で前記押圧する方向と反対の方向への戻りを制限する保持制限部材３２とを備える。
2019130622.tif 000002
【特許請求の範囲】
【請求項１】
軒天板の軒先側を支持する軒先側支持部材と、前記軒天板の軒元側を支持する軒元側支持部材とを備えており、
前記軒先側支持部材は、前記軒天板を軒元側に押圧する方向へスライドできるスライド部材と、前記スライド部材をスライド可能に保持する一方で前記押圧する方向と反対の方向への戻りを制限する保持制限部材とを備えることを特徴とする軒天構造。
【請求項２】
請求項１に記載の軒天構造において、前記保持制限部材は、前記軒天板の軒先側の上側に位置しており、前記スライド部材は、前記軒天板の軒先側の下側に位置する下側部を有しており、この下側部には、前記軒天板を前記保持制限部材の方向に付勢する付勢部が設けられていることを特徴とする軒天構造。
【請求項３】
請求項１に記載の軒天構造において、前記保持制限部材は、前記軒天板の軒先側の上側に位置しており、前記スライド部材は、前記軒天板の軒先側の下側に位置する下側部を有しており、前記保持制限部材には、前記軒天板を前記スライド部材の下側部の方向に付勢する付勢部が設けられていることを特徴とする軒天構造。
【請求項４】
請求項１〜請求項３のいずれか１項に記載の軒天構造において、前記スライド部材に、前記軒天板を軒元側に付勢する付勢部を備えていることを特徴とする軒天構造。
【請求項５】
請求項１〜請求項４のいずれか１項に記載の軒天構造において、前記軒元側支持部材は、前記軒天板の軒元側の上側に位置する上側部と、前記軒天板の軒元側の下側に位置する下側部と、前記下側部に形成されており、前記軒天板を前記上側部の方向に付勢する付勢部と、を備えることを特徴とする軒天構造。
【請求項６】
請求項１〜請求項４のいずれか１項に記載の軒天構造において、前記軒元側支持部材は、前記軒天板の軒元側の上側に位置する上側部と、前記軒天板の軒元側の下側に位置する下側部と、前記上側部に形成されており、前記軒天板を前記下側部の方向に付勢する付勢部と、を備えることを特徴とする軒天構造。
【請求項７】
請求項１〜請求項６のいずれか１項に記載の軒天構造において、前記軒天板を軒元側に押し付けた状態の前記スライド部材が軒先側の建物下地に締結部材によって固定されることを特徴とする軒天構造。
【請求項８】
請求項１〜請求項７のいずれか１項に記載の軒天構造において、前記軒先側支持部材は桁行方向に間隔をおいて複数配置されており、これら軒先側支持部材が見切によって覆われており、前記見切に設けた通気孔を通して軒天裏と屋外とが連通することを特徴とする軒天構造。
【請求項９】
請求項８に記載の軒天構造において、前記見切には、前記通気孔を通して浸入した水を下方に落とす水返しが形成されていることを特徴とする軒天構造。
【請求項１０】
請求項８または請求項９に記載の軒天構造において、前記見切の内側には、火災時の熱で膨張する熱膨張防火材が、膨張時に前記通気孔を遮蔽するように配置されていることを特徴とする軒天構造。
【請求項１１】
請求項１〜請求項１０のいずれか１項に記載の軒天構造において、前記保持制限部材に設けられた取付補強部が軒先側の建物下地の裏側面に固定されていることを特徴とする軒天構造。
【請求項１２】
軒天板の軒先側を支持する軒先側支持部材であって、前記軒天板を軒元側に押圧する方向へスライドできるスライド部材と、前記スライド部材をスライド可能に保持する一方で前記押圧する方向と反対の方向への戻りを制限する保持制限部材とを備えることを特徴とする軒先側支持部材。
【請求項１３】
請求項１２に記載の軒先側支持部材において、前記保持制限部材は、前記軒天板の軒先側の上側に位置しており、前記スライド部材は、前記軒天板の軒先側の下側に位置する下側部を有しており、この下側部には、前記軒天板を前記保持制限部材の方向に付勢する付勢部が設けられていることを特徴とする軒先側支持部材。
【請求項１４】
請求項１２に記載の軒先側支持部材において、前記保持制限部材は、前記軒天板の軒先側の上側に位置しており、前記スライド部材は、前記軒天板の軒先側の下側に位置する下側部を有しており、前記保持制限部材には、前記軒天板を前記スライド部材の下側部の方向に付勢する付勢部が設けられていることを特徴とする軒先側支持部材。
【請求項１５】
請求項１２〜請求項１４のいずれか１項に記載の軒先側支持部材において、前記スライド部材に、前記軒天板を軒元側に付勢する付勢部を備えていることを特徴とする軒先側支持部材。
【請求項１６】
請求項１２〜請求項１５のいずれか１項に記載の軒先側支持部材において、前記軒天板を軒元側に押し付けた状態で前記スライド部材が軒先側の建物下地に締結部材によって固定されるようにしたことを特徴とする軒先側支持部材。
【発明の詳細な説明】
【技術分野】
【０００１】
この発明は、建物の軒天構造及びこの構造における軒天板の軒先側を支持する軒先側支持部材に関する。
【背景技術】
【０００２】
軒天板の施工においては、軒天板の下面から釘・螺子によって軒天板を建物側に固定するのが一般的である。その場合、釘・螺子部の補修が必要となり、その箇所が目立つという不具合がある。また、一部に固定金物を使用したとしても軒天板の下面から釘・螺子を一切使用しないというのは困難である。【０００３】
特許文献１には、軒天板の支持金物として、軒天板の上面と接触する上面接触部を有する上部支持片と、該軒天板の下面と接触する下面接触部を有する下部支持片とからなり、上部支持片と下部支持片との互いの対向部位にそれぞれ貫通すると共に、該上面接触部及び下面接触部を建物の外壁側に離隔または接近させる方向に沿って形成され、且つ鼻隠し材に固定するための固定具を挿通する切り欠き溝を有し、上面接触部と下面接触部との離間間隔が初期状態では軒天板の厚さよりも大きく設定され、固定具を切り欠き溝に挿入して鼻隠し材に締結するのに伴って上面接触部と下面接触部とが互いに接近し得るように構成をしたものが開示されている。
【先行技術文献】
【特許文献】
【０００４】
【特許文献１】特開２０１２−７２９２号（特許第５７７７８６４号）
【発明の概要】
【発明が解決しようとする課題】
【０００５】
しかしながら、前記軒天板の支持金物では、軒天板の軒元支持側から軒先支持側間の方向（軒の突出方向、梁間方向）における軒天板のガタツキを防止できない。軒天板にガタツキがあると、防火、防水、耐風圧の面で好ましくない。【０００６】
そこで、この発明は、軒天板の軒元支持側から軒先支持側間の方向における軒天板のガタツキを防止することができる軒天構造及び軒先側支持部材を提供することを課題とするものである。
【課題を解決するための手段】
【０００７】
前記の課題を解決するこの発明の軒天構造は、軒天板の軒先側を支持する軒先側支持部材と、前記軒天板の軒元側を支持する軒元側支持部材とを備えており、前記軒先側支持部材は、前記軒天板を軒元側に押圧する方向へスライドできるスライド部材と、前記スライド部材をスライド可能に保持する一方で前記押圧する方向と反対の方向への戻りを制限する保持制限部材とを備えることを特徴とする。【０００８】
この構成であれば、前記スライド部材によって前記軒天板を軒元方向に押圧することができ、また、押圧方向と反対の方向への戻りが制限されるので、軒天板の軒元支持側から軒先支持側間の方向における支持隙間の発生を防止して当該方向における軒天板のガタツキを防止できるようになる。【０００９】
前記保持制限部材は、前記軒天板の軒先側の上側に位置しており、前記スライド部材は、前記軒天板の軒先側の下側に位置する下側部を有しており、この下側部には、前記軒天板を前記保持制限部材の方向に付勢する付勢部が設けられていてもよい。この構成であれば、軒天板の軒先側における軒天板の厚み方向の支持隙間の発生も防止できるようになり、軒天板の軒先側での前記厚み方向のガタツキも防止できる。【００１０】
また、前記保持制限部材は、前記軒天板の軒先側の上側に位置しており、前記スライド部材は、前記軒天板の軒先側の下側に位置する下側部を有しており、前記保持制限部材には、前記軒天板を前記スライド部材の下側部の方向に付勢する付勢部が設けられていてもよい。この構成であれば、軒天板の軒先側における軒天板の厚み方向の支持隙間の発生も防止できるようになり、軒天板の軒先側での前記厚み方向のガタツキも防止でき、さらに、軒天板の厚みにバラツキがあったり、軒天板の厚みが経年変化により痩せが生じたりしても、軒天板を下方から見上げた際に、隣合う軒天板に段差が生じず、見栄えを良くすることができる。【００１１】
前記スライド部材に、前記軒天板を軒元側に付勢する付勢部を備えてもよい。この構成であれば、軒天板に経年変化による軒元支持側から軒先支持側間の方向の痩せが生じたとしても、この痩せに前記付勢部が追従して軒天板を押すので、当該方向の経年によるガタツキを防止することができる。【００１２】
前記軒元側支持部材は、前記軒天板の軒元側の上側に位置する上側部と、前記軒天板の軒元側の下側に位置する下側部と、前記下側部に形成されており、前記軒天板を前記上側部の方向に付勢する付勢部と、を備えていてもよい。この構成であれば、軒天板の軒元側における軒天板の厚み方向の支持隙間の発生も防止できるようになり、軒天板の軒元側での前記厚み方向のガタツキも防止できる。【００１３】
前記軒元側支持部材は、前記軒天板の軒元側の上側に位置する上側部と、前記軒天板の軒元側の下側に位置する下側部と、前記上側部に形成されており、前記軒天板を前記下側部の方向に付勢する付勢部と、を備えていてもよい。この構成であれば、軒天板の軒元側での厚み方向のガタツキも防止でき、さらに、軒天板の厚みにバラツキがあったり、軒天板の厚みが経年変化により痩せが生じたりしても、軒天板を下方から見上げた際に、隣合う軒天板に段差が生じず、見栄えを良くすることができる。【００１４】
前記軒天板を軒元側に押し付けた状態の前記スライド部材が軒先側の建物下地に締結部材によって固定されてもよい。この構成であれば、前記スライド部材の戻り防止が確実に行われる。【００１５】
前記軒先側支持部材は桁行方向に間隔をおいて複数配置されており、これら軒先側支持部材が見切によって覆われており、前記見切に設けた通気孔を通して軒天裏と屋外とが連通するようにしてもよい。この構成であれば、軒天裏の換気が行えるようになる。【００１６】
前記見切には、前記通気孔を通して浸入した水を下方に落とす水返しが形成されていてもよい。この構成であれば、軒天裏への雨水の浸入を抑制できる。【００１７】
前記見切の内側には、火災時の熱で膨張する熱膨張防火材が、膨張時に前記通気孔を遮蔽するように配置されていてもよい。この構成であれば、火災時において炎が前記通気孔から軒天裏に入り込むのを抑制できる。【００１８】
前記保持制限部材に設けられた取付補強部が軒先側の建物下地の裏側面に固定されていてもよい。この構成であれば、前記保持制限部材の固定強度を高めることができる。【００１９】
また、この発明の軒先側支持部材は、軒天板の軒先側を支持する軒先側支持部材であって、前記軒天板を軒元側に押圧する方向へスライドできるスライド部材と、前記スライド部材をスライド可能に保持する一方で前記押圧する方向と反対の方向への戻りを制限する保持制限部材とを備えることを特徴とする。【００２０】
この構成であれば、前記スライド部材によって前記軒天板を軒元方向に押圧することができ、また、押圧方向と反対の方向への戻りが制限されるので、軒天板の軒元支持側から軒先支持側間の方向における支持隙間の発生を防止して当該方向における軒天板のガタツキを防止できるようになる。【００２１】
前記保持制限部材は、前記軒天板の軒先側の上側に位置しており、前記スライド部材は、前記軒天板の軒先側の下側に位置する下側部を有しており、この下側部には、前記軒天板を前記保持制限部材の方向に付勢する付勢部が設けられていてもよい。この構成であれば、軒天板の軒先側における軒天板の厚み方向の支持隙間の発生も防止できるようになり、軒天板の軒先側での前記厚み方向のガタツキも防止できる。【００２２】
前記保持制限部材は、前記軒天板の軒先側の上側に位置しており、前記スライド部材は、前記軒天板の軒先側の下側に位置する下側部を有しており、前記保持制限部材には、前記軒天板を前記スライド部材の下側部の方向に付勢する付勢部が設けられていてもよい。この構成であれば、軒天板の軒先側での厚み方向のガタツキも防止でき、さらに、軒天板の厚みにバラツキがあったり、軒天板の厚みが経年変化により痩せが生じたりしても、軒天板を下方から見上げた際に、隣合う軒天板に段差が生じず、見栄えが良い。【００２３】
前記スライド部材に、前記軒天板を軒元側に付勢する付勢部を備えてもよい。この構成であれば、軒天板に経年変化による軒元支持側から軒先支持側間の方向の痩せが生じたとしても、この痩せに前記付勢部が追従するので、当該方向の経年によるガタツキを防止することができる。【００２４】
前記軒天板を軒元側に押し付けた状態で前記スライド部材が軒先側の建物下地に締結部材によって固定されるようにしてもよい。この構成であれば、前記スライド部材の戻り防止が確実に行われる。
【発明の効果】
【００２５】
以上のように、この発明であれば、軒天板の軒元支持側から軒先支持側間の方向（軒の突出方向、梁間方向）における支持隙間の発生を防止して当該方向における軒天板のガタツキを防止できるという効果を奏する。
【図面の簡単な説明】
【００２６】
【図１】本発明の実施形態にかかる軒天構造の側面視による説明図である。
【図２】図１の軒天構造で用いられている軒元側見切の斜視図である。
【図３】（ａ）は図１の軒天構造で用いられている軒元側支持部材の平面図、（ｂ）は側面図、（ｃ）は正面図である。
【図４】図１の軒天構造で用いられている軒元側支持部材の斜視図である。
【図５】（ａ）は図１の軒天構造で用いられている軒先側支持部材の平面図、（ｂ）は側面図、（ｃ）は正面図である。
【図６】図１の軒天構造で用いられている軒先側支持部材のスライド部材の凹凸部と保持制限部材の突起部との係合状態を示す拡大図である。
【図７】（ａ）は図１の軒天構造で用いられている軒先側支持部材のスライド部材の底面図、（ｂ）は側面図、（ｃ）は正面図である。
【図８】図１の軒天構造で用いられている軒先側支持部材のスライド部材の斜視図である。
【図９】（ａ）は図１の軒天構造で用いられている軒先側支持部材における保持制限部材の平面図、（ｂ）は側面図、（ｃ）は正面図である。
【図１０】図１の軒天構造で用いられている軒先側支持部材における保持制限部材の斜視図である。
【図１１】（ａ）は図１の軒天構造で用いられている軒先側見切の斜視図、（ｂ）は軒先側見切の通気孔を示す正面図である。
【図１２】図１の軒天構造で用いることができる軒先側見切の斜視図である。
【図１３】図１の軒天構造で用いることができる軒先側見切の変形例の斜視図である。
【図１４】図１の軒天構造で用いることができるスライド部材の変形例を示す側面図である。
【図１５】図１４のスライド部材の斜視図である。
【図１６】本発明の他の実施形態にかかる軒天構造の軒先側の側面図である。
【図１７】（ａ）は図１６の軒天構造で用いられる軒先側支持部材の側面図、（ｂ）は底面図、（ｃ）は正面図である。
【図１８】（ａ）は図１６の軒天構造で用いられる軒先側支持部材におけるスライド部材の側面図、（ｂ）は底面図、（ｃ）は正面図である。
【図１９】図１８のスライド部材の斜視図である。
【図２０】（ａ）は図１６の軒天構造で用いられる軒先側支持部材における保持制限部材の側面図、（ｂ）は底面図、（ｃ）は正面図である。
【図２１】図２０の保持制限部材の斜視図である。
【図２２】（ａ）は図１６の軒天構造においてスライド部材の変形例を用いた軒先側支持部材の側面図、（ｂ）は底面図、（ｃ）は正面図である。
【図２３】本発明の他の実施形態にかかる軒天構造の軒先側の側面図である。
【図２４】（ａ）は図２３の軒天構造で用いられる軒先側支持部材の側面図、（ｂ）は底面図、（ｃ）は正面図である。
【図２５】図２３の軒天構造で用いられる軒先側支持部材におけるスライド部材の斜視図である。
【図２６】図２３の軒天構造で用いられる軒先側支持部材における保持制限部材の斜視図である。
【図２７】本発明の他の実施形態にかかる軒天構造の軒先側の側面図である。
【図２８】（ａ）は図２７の軒天構造で用いられる軒先側支持部材におけるスライド部材の側面図、（ｂ）は平面図、（ｃ）は正面図である。
【図２９】図２８のスライド部材の斜視図である。
【図３０】本発明の他の実施形態にかかる軒天構造の軒先側の側面視による説明図である。
【図３１】（ａ）は図３０の軒天構造で用いられる軒先側支持部材の側面図、（ｂ）はスライド部材を（ａ）の状態から軒先側にスライドさせた状態を示す側面図である。
【図３２】（ａ）は図３０の軒天構造で用いられる軒先側支持部材におけるスライド部材の平面図、（ｂ）は側面図、（ｃ）は正面図である。
【図３３】図３０の軒天構造で用いられる軒先側支持部材におけるスライド部材の斜視図である。
【図３４】（ａ）は図３０の軒天構造で用いられる軒先側支持部材における保持制限部材の平面図、（ｂ）は側面図、（ｃ）は正面図である。
【図３５】図３０の軒天構造で用いられる軒先側支持部材における保持制限部材の斜視図である。
【図３６】軒元側支持部材の変形例を用いた軒天構造の側面図である。
【図３７】（ａ）は図３６の軒元側支持部材の平面図、（ｂ）は側面図、（ｃ）は正面図である。
【図３８】図３６の軒元側支持部材の斜視図である。
【図３９】軒元側支持部材の他の変形例を用いた軒天構造の側面図である。
【図４０】（ａ）は図３９の軒元側支持部材の側面図、（ｂ）は斜視図、（ｃ）は軒元側支持部材に用いられているバネ鋼製の付勢部の斜視図である。
【図４１】軒元側支持部材の他の変形例を用いた軒天構造の側面図である。
【図４２】（ａ）は図４１の軒元側支持部材の側面図、（ｂ）は斜視図、（ｃ）は軒元側支持部材に用いられているバネ鋼製の付勢部の斜視図である。
【発明を実施するための形態】
【００２７】
以下、この発明の実施形態を添付図面に基づき具体的に説明する。図１に示す実施形態の軒天構造においては、軒元側見切１及び軒元側支持部材（金物）２が、軒元側軒天野縁５の下面から上向きに打ち込まれた釘（螺子でもよい）４によって、当該軒元側軒天野縁５に固定されている。前記軒元側軒天野縁５は、水平に打ち込まれた図示しない釘等によって、外壁材及び外壁下地に固定されている。
【００２８】
前記軒元側見切１は、桁行方向に長い長尺部材（例えば３０００ｍｍ程度）とされるのに対し、前記軒元側支持部材２は桁行方向に間隔（例えば４５５ｍｍ間隔）を置いて配置される短尺部材とされる。前記釘４は、前記軒元側支持部材２及び前記軒元側見切１の上側部を貫通して前記軒元側軒天野縁５の下面に打ち込まれている。前記軒元側支持部材２は前記軒元側見切１ごと前記軒元側軒天野縁５に釘固定されている。
【００２９】
前記軒元側見切１は、図２に示すように、上側部１ａと、下側部１ｂと、これらを繋ぐ立上部１ｃとを備えて断面略コ字形状を有している。また、図３及び図４に示すように、前記軒元側支持部材２も同様に、上側部２１と、下側部２２と、これらを繋ぐ立上部２３とを備えて断面略コ字形状を有している。
【００３０】
前記軒元側見切１は、前記軒元側支持部材２の外面を覆うことができるように、当該軒元側支持部材２よりも一回り大きく形成されている。この軒元側見切１の上側部１ａは、前記軒元側軒天野縁５の下面に当接しており、前記立上部１ｃは外壁材あるいは外壁下地の表面に当接している。
【００３１】
また、前記軒元側支持部材２の上側部２１は、例えば水平配置される軒天板１７の軒元側の上側に位置しており、下側部２２は前記軒天板１７の軒元側の下側に位置しており、立上部２３には前記軒天板１７の屋内側の端面が突き当てられる。
【００３２】
そして、前記軒元側見切１の上側部１ａの屋外側端は、下側に折り返されており、この折り返された部分は、前記軒元側支持部材２の上側部２１の屋外側端に係止される。同様に、前記軒元側見切１の下側部１ｂの屋外側端は、上側に折り返されており、この折り返された部分は、前記軒元側支持部材２の下側部２２の屋外側端に係止される。
【００３３】
また、前記軒元側支持部材２における下側部２２の屋外側端の両縁部には、一部が切り込まれて略中央部が上側に突出するように屈曲された山形形状のバネ性を有する付勢部２ａが形成されている。前記付勢部２ａの先端裾側は、下側部２２と略面一の高さにあり、差し込まれる前記軒天板１７の下面によって当該付勢部２ａが徐々に下方に押されていくことになる。そして、この付勢部２ａは、前記軒天板１７の下面に押されて下方に撓むとともに、当該軒天板１７を前記上側部２１の方向（軒天板１７の厚み方向）に押し上げる。
【００３４】
一方、軒先側では、軒先側支持部材（金物）３が、軒先側の建物下地である鼻隠し下地１２の下面側から上向きに打ち込まれた釘（螺子でもよい）１８によって、前記鼻隠し下地１２に固定されている。また、前記軒先側支持部材３を覆い隠すように軒先側見切１４が取り付けられる。
【００３５】
前記軒先側見切１４は、図１１（ａ）に示すように、上側部１４ａと、下側部１４ｂと、これらを繋ぐ斜め立上部１４ｃとを備えた断面略Ｚ字形状をなしている。前記軒先側見切１４の上側部１４ａの屋外側端は、上側に折り返されている。同様に、前記軒先側見切１４の下側部１４ｂの屋内側端も、上側に折り返されており、この折り返された部分を、前記軒先側支持部材３の下部側を越えたところに位置させている。
【００３６】
また、前記軒先側見切１４は、桁行方向に長い長尺部材（例えば３０００ｍｍ程度）とされるのに対して、前記軒先側支持部材３は、桁行方向に間隔（例えば４５５ｍｍ間隔）を置いて配置される短尺部材とされる。そして、前記軒先側見切１４は、前記鼻隠し下地１２の下面側から上向きに打ち込まれた釘（螺子でもよい）１９によって、前記鼻隠し下地１２の下面に固定されている。前記鼻隠し下地１２の屋外側には軒先側の建物部材である鼻隠し１１が取り付けられる。前記鼻隠し１１は、その下端部が前記軒先側見切１４の下端よりも下方に突出するように設けられている。
【００３７】
前記軒先側支持部材３は、図５（ａ）（ｂ）（ｃ）に示すように、前記軒天板１７を軒元側に押圧する方向へスライドできるスライド部材３１（二点鎖線で示している）と、前記スライド部材３１をスライド可能に保持する一方で前記押圧する方向と反対の方向への戻りを制限する保持制限部材３２とを備える。
【００３８】
前記保持制限部材３２は、前記鼻隠し下地１２に固定されて前記軒天板１７の上側に位置する。また、一例として、図６に示すように、前記スライド部材３１（太線で示している）に形成された凹凸部３１ａと、前記保持制限部材３２に形成されたバネ性を有する突起部３２ａとによってスライド部材３１の前記戻りを制限する。前記突起部３２ａは、前記保持制限部材３２の一部をプレス加工等で切り起こして斜めに突出するように形成されたものである。この切り起こし部の突出先端は屋内側に向いている。
【００３９】
また、前記凹凸部３１ａは、例えば、矩形状の溝部によって形成されており、各溝部は対向する屋内側面と屋外側面とを有する。前記屋内側面は、前記スライド部材３１が前記押圧する方向と反対の方向へ戻ろうとする場合に、前記突起部３２ａの突出先端と接触し、前記スライド部材３１が前記押圧する方向と反対の方向へ戻るのを阻止する。一方、前記押圧する方向へ前記スライド部材３１を押す場合には、前記突起部３２ａが、当該スライド部材３１の前記屋外側面の上角箇所によって上方向に撓められ、当該スライド部材３１の移動が許容される。
【００４０】
前記スライド部材３１は、図７及び図８に示すように、上側部３１１と下側部３１２とこれらを繋ぐ縦板部３１３とを備える。前記上側部３１１は、前記保持制限部材３２によって保持される部分であり、この上側部３１１の上面に前記凹凸部３１ａが形成されている。前記下側部３１２は前記軒天板１７の下側に位置して当該軒天板１７を支持する。また、前記縦板部３１３は前記軒天板１７の屋外側の端面に対向し、この軒天板１７を軒元側に押す部分となる。また、前記上側部３１１は、２枚に分割された板部からなり、各板部と前記縦板部３１３との接続箇所には、各板部の幅よりも狭幅となる括れ部３１ｂが形成されている。
【００４１】
なお、前記スライド部材３１に、二点鎖線で示すように、前記軒天板１７を軒元側に付勢するバネ鋼製の付勢部３１７を備えてもよい。この付勢部３１７は、例えば、前記縦板部３１３にバーリング加工によって形成された横円筒部３１３ａと、この横円筒部３１３ａに係止された板バネ３１７ａとからなる。前記板バネ３１７ａの中央側には円形の貫通孔が形成されており、この貫通孔に前記横円筒部３１３ａが圧入やカシメ等によって係止される。また、例えば、板バネ３１７ａは上記係止位置から離れる端側ほど軒天板１７の端面に近づくように曲げられている。もちろん、このような構造に限らず、例えば、板バネ３１７ａに替えて他の形状のバネ等を用いることができ、また、これらバネ等はビスや接着剤等を用いて前記スライド部材３１に固定されてもよい。
【００４２】
前記保持制限部材３２は、図９（ａ）（ｂ）（ｃ）、図１０にも示すように、略四角形を有する板状の部材から成る。前記突起部３２ａは、前記スライド部材３１の上側部３１１の２枚の板部に対応する位置に形成されている。そして、前記突起部３２ａの下方に臨むように袋部３２ｂが形成されている。この袋部３２ｂは、保持制限部材３２の端側および中央側の複数箇所を、前記スライド部材３１の上側部３１１を収容できる高さで立ち上げて前記突起部３２ａ側に折り返した形状を有する。前記中央側の複数箇所については、プレス等を用いて一部を切り込んで起こし、前記突起部３２ａ側に折り曲げられている。各端側の袋部３２ｂとこれに近い側の中央側の部分の袋部３２ｂ同士によって、前記上側部３１１の各板部をスライド可能に保持する。なお、各端側の袋部３２ｂの端部と中央側の部分の袋部３２ｂの端部との間において前記スライド部材３１の括れ部３１ｂが位置する。
【００４３】
また、前記保持制限部材３２の略中央部には、前記釘１８が挿通される挿通孔３２ｃが形成されている。なお、図９において仮想線（二点鎖線)で示すように、前記保持制限部材３２の略中央部に略コ字状の切り込みと挿通孔３２ｄとを形成してもよい。これによれば、上記切り込みの箇所を立上げ、この立ち上げた箇所を、図１に示すように、前記鼻隠し下地１２の裏面への当て部３２ｅとし、前記挿通孔３２ｄに締結部材である図示しない釘（螺子でもよい）を前記鼻隠し下地１２の裏面へ打ち込むことで、前記保持制限部材３２の鼻隠し下地１２に対する支持を補強するようにしてもよい。すなわち、前記保持制限部材３２に設けられた取付補強部（当て部３２ｅ）が軒先側の建物下地の裏側面に締結部材によって固定されるようにしてもよい。
【００４４】
前記軒天構造を施工する手順としては、例えば、前記軒元側支持部材２を前記軒元側見切１に装着した状態で、前記軒元側支持部材２を、所定ピッチとなる位置において釘４によって前記軒元側軒天野縁５に固定する（軒元側見切１を先付けした後で、軒元側支持部材２を固定する場合もある。）。また、前記軒先側支持部材３における前記保持制限部材３２を、前記釘１８によって前記鼻隠し下地１２の下面に固定する。さらに、前記スライド部材３１の先端側を前記保持制限部材３２に差し込む。
【００４５】
そして、前記軒天板１７の軒元側を前記軒元側支持部材２に差し込み、また、前記軒天板１７の軒先側を持ち上げ、この軒先側に前記スライド部材３１を装着する。さらに、前記スライド部材３１を屋内側にスライドさせ、軒天板１７を軒元側に移動させて前記軒天板１７を軒元側方向に押し付ける。その後に、前記軒先側見切１４及び前記鼻隠し１１を取り付ける。もちろん、施工手順はこのような順序に限らない。
【００４６】
また、図１の他、図１１（ａ）、（ｂ）にも示すように、前記軒先側見切１４、１４Ａの斜め立上部１４ｃは、例えば、複数のスリット状の通気孔１４ｄが形成された通気孔形成部を構成するようにしてもよい。前記通気孔１４ｄを通して、軒天裏と屋外とが連通することになる。また、前記通気孔形成部は、前記鼻隠し下地１２に対向して位置するとともに、下側ほど前記鼻隠し１１に近づくように傾斜しており、軒下側から雨水が前記通気孔１４ｄに入り難くなっている。さらに、前記軒先側見切１４の内側には、火災時の熱で膨張する熱膨張防火材７が、膨張時に前記通気孔１４ｄを遮蔽するように配置されている。例えば、前記熱膨張防火材７は、テープ状に形成されており、前記軒先側見切１４の下側部の内面上で且つ前記通気孔１４ｄの下方側となる位置において桁行方向に貼られている。
【００４７】
なお、図１２に示すように、軒先側見切１４Ａを用いることができる。この軒先側見切１４Ａは、上側部１４ａを上側から屋内側方向へと折り返すとともに、この折り返し部の端部を、前記通気孔１４ｄからの気流の通過箇所に至らせている。すなわち、前記折り返し部の端部が水返し１４ｅとして機能し、軒天裏への雨水の浸入を抑制できるようになっている。
【００４８】
また、図１３に示すように、前記の軒先側見切１４、１４Ａよりも軒天裏と屋外との通気を向上させた軒先側見切１４Ｂを使用することもできる。この軒先側見切１４Ｂは、斜め立上部１４ｃの通気孔形成部に設けた通気孔１４ｄ以外に、下側部１４ｂの屋内側端の上側折返し部分に、通気孔１４ｆを設けている。
【００４９】
以上のような構成の軒天構造であれば、前記スライド部材３１を、軒天板１７を押し込む方向（軒元方向）に押すことができ、また、この押し込む方向と反対の方向への戻りが制限されるので、軒天板１７の軒元支持側から軒先支持側間の方向における支持隙間の発生を防止して当該方向における軒天板１７のガタツキを防止できるようになる。なお、前記スライド部材３１の戻り制限は、例えば、図６に示す突起部３２ａを押し上げて凹凸部３１ａとの係合を解除するすることができるので、突起部３２ａを逆向きに押し上げる図示しない解除治具を用いれば、軒天板１７の経年のメンテナンス交換作業も比較的容易に行えるようになる。
【００５０】
また、前記軒先側支持部材３を前記軒先側見切１４（１４Ａ、１４Ｂ）によって覆う一方、前記軒先側見切１４に設けた通気孔形成部の通気孔１４ｄ（１４ｆ）を通して軒天裏と屋外とを連通させることで、軒天裏の換気が行えるようになる。
【００５１】
また、前記軒先側見切１４の内側に熱膨張防火材７が配置されていると、火災時において炎が前記通気孔１４ｄから軒天裏に入り込むのを抑制できる。
【００５２】
また、前記スライド部材３１に、前記軒天板１７を軒元側に付勢する付勢部３１７を備えると、軒天板１７に経年変化による軒元支持側から軒先支持側間の方向の痩せが生じたとしても、この痩せに前記付勢部３１７が追従して軒天板１７を押すので、当該方向の経年によるガタツキを防止することができる。
【００５３】
また、前記軒元側支持部材２が、前記軒天板１７を前記上側部２１の方向に付勢するバネ性を有する付勢部２ａを備えていると、軒天板１７の軒元側における軒天板１７の厚み方向の支持隙間の発生も防止できるようになり、軒天板１７の軒元側での前記厚み方向のガタツキも防止できる。
【００５４】
図１４及び図１５に示すように、前記軒先側支持部材３のスライド部材３１についても、その下側部３１２の屋内側端の両縁部に、一部が切り込まれて略中央部が上側に突出するように屈曲されたバネ性を有する付勢部３ｃが形成されていてもよい。前記付勢部３ｃの先端裾側は、下側部３１２と略面一の高さにあり、差し込まれる前記軒天板１７の下面によって当該付勢部３ｃが徐々に下方に押されていくことになる。この付勢部３ｃは、前記軒天板１７の下面に押されて下方に撓むとともに、当該軒天板１７を前記保持制限部材３２の方向（軒天板１７の厚み方向）に押し上げる。これによれば、軒天板１７の軒先側における軒天板１７の厚み方向の支持隙間の発生も防止できるようになり、軒天板１７の軒先側での前記厚み方向のガタツキも防止できる。
【００５５】
また、図１６に示す形態の軒天構造とすることもできる。この軒天構造では、図１７（ａ）（ｂ）（ｃ）に示す構造の軒先側支持部材３Ａを用いている。この軒先側支持部材３Ａは、前記軒天板１７を軒元側に押圧する方向へスライドできるスライド部材３１Ａ（二点鎖線で示している）と、前記スライド部材３１Ａをスライド可能に保持する一方で前記押圧する方向と反対の方向への戻りを制限する保持制限部材３２Ａとを備える。
【００５６】
前記スライド部材３１Ａは、図１８及び図１９に示すように、折り返し形状に形成された上側部３１４と、下側部３１２と、前記上側部３１４における下板部と前記下側部３１２とを繋ぐ縦板部３１３とを備える。前記上側部３１４における上板部の上面には前記凹凸部３１ａが形成されている。
【００５７】
前記保持制限部材３２Ａは、図２０（ａ）（ｂ）（ｃ）及び図２１に示すように、上板部材３２１と、下板部材３２２と、上板部材３２１と下板部材３２２の間に挟まれたバネ板部材３２３とからなり、下板部材３２２の中央に、前記スライド部材３１Ａの上側部３１４における上板部が差し込まれる袋部３２ｆを形成している。前記バネ板部材３２３には、下板部材３２２に形成された袋部３２ｆに向かって突出し、スライド部材３１Ａの上側部３１４に形成された凹凸部３１ａと係合する突起部３２ａを設けている。前記保持制限部材３２Ａの上板部材３２１、下板部材３２２、バネ板部材３２３の３枚の板部材が重なる平板部３２ｇには、前記釘１８が挿通される挿通孔３２ｃが形成されている。このように、バネ板部材３２３に突起部３２ａを設けると、突起部３２ａにより強いバネ性を持たせることが可能になり、凹凸部３１ａとの係合を強固にすることができる。
【００５８】
このような構成の軒先側支持部材３Ａは、前記軒先側支持部材３に比べてシンプルな構造を有するものとなり、低価格化が容易になる。ただし、前記スライド部材３１Ａの移動範囲は、前記折り返し形状を有する上側部３１４の折り返し部が前記袋部３２ｆの入り口部の縁に接触するまでとなり、前記スライド部材３１Ａにおいては、前記縦板部３１３を屋内側に近づけた形状が採用される。
【００５９】
なお、図２２（ａ）（ｂ）（ｃ）に示すように、軒先側支持部材３Ａは、前記スライド部材３１Ａに替えてスライド部材３１０Ａを使用するようにしてもよい。前記スライド部材３１０Ａは、上側部３１０１と下側部３１０２とこれらを繋ぐ縦板部３１０３とを備えるとともに、前記下側部３１０２上に立板部３１０４を備えている。
【００６０】
前記上側部３１０１は前記保持制限部材３２Ａの前記袋部３２ｆに差し込まれる部分であり、この上側部３１０１の上面に前記凹凸部３１ａ（図示省略）が形成されている。前記下側部３１０２は前記軒天板１７の下側に位置して当該軒天板１７を支持する。前記立板部３１０４は前記軒天板１７の屋外側の端面に対向し、この軒天板１７を軒元側に押す部分となる。
【００６１】
また、図２３に示す形態の軒天構造とすることができる。この軒天構造は、図２３及び図２４（ａ）（ｂ）（ｃ）に示す軒先側支持部材３Ｂを備えている。この軒先側支持部材３Ｂは、前記軒天板１７を軒元側に押圧する方向へスライドできるスライド部材３１Ｂと、前記スライド部材３１Ｂをスライド可能に保持する一方で前記の押圧する方向と反対の方向への戻りを制限する保持制限部材３２Ｂとを備える。
【００６２】
図２３に示す形態の軒天構造は、前記鼻隠し下地１２の屋内側（裏側）の縦面に、釘（螺子でもよい）８２によって補強用部材８１を固定している。この補強用部材８１は、前記保持制限部材３２Ｂの上面に固定されたものである。なお、溶接や接着剤を用いて補強用部材８１の下面に一体的に前記保持制限部材３２Ｂを固定することができる。また、前記補強用部材８１は、例えば、縦板部と横板部とを有する短尺のＬアングルからなり、前記横板部の下面が前記鼻隠し下地１２の下面と面一となるようにして固定される。ここに、前記補強用部材８１に加わる下方への荷重については、前記釘８２が、その引き抜き方向ではなく、せん断方向に受けることになる。
【００６３】
図２３に示す形態の軒天構造における前記スライド部材３１Ｂは、図２４（ａ）（ｂ）（ｃ）及び図２５に示すように、上側部３１５と下側部３１２とこれらを繋ぐ縦板部３１３とを備える。前記上側部３１５は前記保持制限部材３２Ｂによって保持されて移動の許容と制限が行われる部分であり、この上側部３１５の上面において前記凹凸部３１ａが形成されている。前記下側部３１２は前記軒天板１７の下側に位置して当該軒天板１７を支持する。また、前記縦板部３１３は前記軒天板１７の屋外側の端面に対向し、この軒天板１７を軒元側に押す部分となる。また、上側部３１５は左右に分割された２枚の板部を有しており、前記保持制限部材３２Ｂは、図２６に示すように、前記上側部３１５の各板部を収容するように２個の袋部３２ｈを有する。
【００６４】
また、前記図２３に示す軒天構造（主に軒先側）を施工する手順としては、例えば、前記補強用部材８１を前記鼻隠し下地１２の裏面に前記釘８２によって固定する。そして、前記補強用部材８１の下面に前記軒先側支持部材３Ｂを固定する。この固定は、予め前記補強用部材８１の下面に前記軒先側支持部材３Ｂを溶接することで行っておいてもよい。さらに、前記スライド部材３１Ｂの先端側を前記保持制限部材３２に差し込む。
【００６５】
そして、前記軒天板１７の軒元側を前記軒元側支持部材２に差し込み、また、前記軒天板１７の軒先側を持ち上げ、この軒先側に前記スライド部材３１Ｂを装着する。さらに、前記スライド部材３１Ｂを屋内側にスライドさせ、軒天板１７を軒元側に移動させて前記軒天板１７を軒元側方向に押し付ける。その後に、前記軒先側見切１４及び前記鼻隠し１１を取り付ける。もちろん、施工手順はこのような順序に限らない。
【００６６】
また、図２７に示す形態の軒天構造は、図２３に示す形態の軒天構造における軒先側支持部材３Ｂのスライド部材３１Ｂに替えて、図２７、図２８（ａ）（ｂ）（ｃ）及び図２９に示すスライド部材３１０Ｂを用いている。
【００６７】
このスライド部材３１０Ｂは、図２８（ａ）（ｂ）（ｃ）及び図２９に示すように、上側部３１５と下側部３１２とこれらを繋ぐ縦板部３１３とを備える。前記上側部３１５は、前記保持制限部材３２Ｂによって保持されて移動の許容と制限が行われる部分であり、この上側部３１５の上面において前記凹凸部３１ａが形成されている。また、上側部３１５は左右に分割された２枚の板部を有しており、前記２枚の板部の間に存在する板部は１８０度折り返されて固定板部３１ｄとなっており、この固定板部３１ｄに挿通孔３１ｅが形成されている。
【００６８】
前記固定板部３１ｄを備える構造であると、前記スライド部材３１０Ｂによって前記軒天板１７を軒元側へ押し込んだ後、前記固定板部３１ｄの挿通孔３１ｅに締結部材である釘（螺子でもよい）２０を鼻隠し下地１２の下面から打ち込んで、前記スライド部材３１０Ｂを鼻隠し下地１２に固定することができる。すなわち、前記軒天板１７を軒元側に押し付けた状態で前記スライド部材３１０Ｂが軒先側の建物下地に締結部材によって固定されるようになっており、前記スライド部材３１０Ｂの戻り防止が確実に行われる。
【００６９】
また、図３０に示す形態の軒天構造とすることができる。この軒天構造は、図３０及び図３１（ａ）（ｂ）に示す軒先側支持部材３Ｃを備えている。この軒先側支持部材３Ｃは、前記軒天板１７を軒元側に押圧する方向へスライドできるスライド部材３１Ｃ（二点鎖線で示している）と、前記スライド部材３１Ｃをスライド可能に保持する一方で前記の押圧する方向と反対の方向への戻りを制限する保持制限部材３２Ｃとを備える。
【００７０】
図３０に示す形態の軒天構造は、前記鼻隠し下地１２の屋内側（裏側）の縦面に、釘（螺子でもよい）８２によって固定される取り付け板部８１０を保持制限部材３２Ｃに一体に設けている。この取り付け板部８１０は、前記保持制限部材３２Ｃの上面の屋外側の端縁に直角に一体に設けられている。取り付け板部８１０には、保持制限部材３２Ｃを前記鼻隠し下地１２の裏面に固定する釘８２０を打ち込む挿通孔８１１を設けている。前記保持制限部材３２Ｃは、前記保持制限部材３２Ｃの取り付け板部８１０を鼻隠し下地１２の裏面に当接させて、釘８２０を挿通孔８１１に打ち込むことにより、鼻隠し下地１２に固定される。
【００７１】
図３０に示す形態の軒天構造における前記スライド部材３１Ｃは、図３２（ａ）（ｂ）（ｃ）及び図３３に示すように、上側部３１５と下側部３１２とこれらを繋ぐ縦板部３１３とを備える。前記上側部３１５は前記保持制限部材３２Ｃによって保持されて移動の許容と制限が行われる部分であり、この上側部３１５の下面において前記凹凸部３１ａが形成されている。前記下側部３１２は前記軒天板１７の下側に位置して当該軒天板１７を支持する。また、前記縦板部３１３は前記軒天板１７の屋外側の端面に対向し、この軒天板１７を軒元側に押す部分となる。
【００７２】
前記保持制限部材３２Ｃは、図３４（ａ）（ｂ）（ｃ）及び図３５に示すように、縦板部と横板部とを有するＬ形の金物であり、縦板部は前記取り付け板部８１０を構成している。
【００７３】
前記保持制限部材３２Ｃにおける横板部には、縦板部と平行な２本の切れ込みを入れ、この切れ込みの間をプレス加工に下方に押し込み、スライド部材３１Ｃの上側部３１５をスライド自在に包む単一の袋部３２ｆを一体に形成している。この袋部３２ｆには、スライド部材３１Ｃの上側部３１５の下面に形成した凹凸部３１ａに係合する突起部３２ａを切り起こしによって形成している。
【００７４】
また、保持制限部材３２Ｃにおける袋部３２ｆの下面には、軒天板１７をスライド部材３１Ｃの下側部３１２に押し付けるバネ鋼製の付勢部３２０を設けている。このバネ鋼製の付勢部３２０が、軒天板１７をスライド部材３１Ｃの下側部３１２に押し付けることにより、軒天板１７の厚みにバラツキがあったり、軒天板１７の厚みが経年変化により痩せが生じたりしても、隣合う軒天板１７の下面が揃うため、軒天板１７を下方から見上げた際に、段差が生じず、見栄えが良い。なお、バネ鋼製の付勢部３２０は、軒元側から軒先側に向かって中央部が下面側に垂れ下がり、軒先側が上方に湾曲する形状で、軒元側がバーリングカシメ部２２３によって袋部３２ｆに接合されている。
【００７５】
また、スライド部材３１Ｃの上側部３１５の屋外側の端部には、上側部３１５と同一平面で屋外側に延びる固定板部３１ｄが形成されており、この固定板部３１ｄに挿通孔３１ｅが形成されている。
【００７６】
前記固定板部３１ｄを備える構造であると、前記スライド部材３１Ｃによって前記軒天板１７を軒元側へ押し込んだ後、前記固定板部３１ｄの挿通孔３１ｅに締結部材である釘（螺子でもよい）２０を鼻隠し下地１２の下面から打ち込んで、前記スライド部材３１Ｃを鼻隠し下地１２に固定することができので、前記スライド部材３１Ｃの戻り防止が確実に行われる。
【００７７】
前記軒先側支持部材３Ｃは、図３１（ａ）に示すように、保持制限部材３２Ｃに対してスライド部材３１Ｃを屋外方向に強く引っ張っても、スライド部材３１Ｃが保持制限部材３２Ｃの袋部３２ｆから抜け出さないように、スライド部材３１Ｃの上側部３１５の屋内側の端部上面に、抜け出しを防止する突起３１６を設けておくことが好ましい。なお、突起３１６は、スライド部材３１Ｃを保持制限部材３２Ｃに袋部３２ｆを挿し込んで組み立てる前に形成しておくと、保持制限部材３２Ｃの袋部３２ｆへの挿し込みに支障がでるので、スライド部材３１Ｃを保持制限部材３２Ｃに袋部３２ｆを挿し込んだ後に、プレス加工によって形成する必要がある。
【００７８】
また、図３６に示すように、前記軒天板１７を軒先側が低くなる傾斜配置で設けることもできる。この傾斜配置の構成で用いられる軒元側支持部材２Ａは、図３７（ａ）（ｂ）（ｃ）、図３８に示すように、上側部２１の端部が上側に折り曲げられた取り付け部２４を有している。そして、この取り付け部２４に釘４が挿通され、この釘４が斜め上方向に軒元側軒天野縁５に打ち込まれることで、当該軒元側支持部材２Ａが軒元側軒天野縁５に固定されている。また、この傾斜配置の構成で用いられる軒元側見切１Ａも、上側部の端部が上側に折り曲げられて前記取り付け部２４に沿うようになっており、この曲げ部分に釘４が打ち込まれる。なお、軒先側においては、例えば、前記補強用部材８１の横板部を、前記軒天板１７の傾斜角度に合わせて、屋内側ほど昇り傾斜するように形成してもよい。この形態において、軒元側支持部材２Ａを軒元側見切１Ａ（先付け）の後で固定する場合もある。
【００７９】
次に、図３９及び図４０（ａ）（ｂ）（ｃ）に示すように、前記軒元側支持部材２に替えて、軒元側支持部材２Ｂを用いることができる。この軒元側支持部材２Ｂは、上側部２１と、下側部２２と、これらを繋ぐ立上部２３とを備える断面略コ字形状の軒元側支持部材本体２１０と、この軒元側支持部材本体２１０の上側部２１の下面に取り付けられた、軒天板１７を下側部２２に押し付けるバネ鋼製の付勢部２２０とからなる。このバネ鋼製の付勢部２２０は、軒天板１７を軒元側支持部材本体２１０の下側部２１２に押し付けているので、軒天板１７の厚みにバラツキがあったり、軒天板１７の厚みが経年変化により痩せが生じたりしても、軒天板１７を下方から見上げた際に、隣合う軒天板１７に段差が生じず、見栄えが良い。バネ鋼製の付勢部２２０は、軒元側から軒先側に向かって中央部が下面側に垂れ下がり、軒先側が上方に湾曲する一対のバネ片２２１と、この一対のバネ片２２１を繋ぐ連結部２２２とからなり、連結部２２２が上側部２１１の軒元側に、バーリングカシメ部２２３によって接合されている。軒元側支持部材本体２１０の上側部２１の中央には、軒元側支持部材２Ｂを軒元側軒天野縁５に釘４によって固定するための釘孔２２４を設けている。
【００８０】
次に、図４１及び図４２（ａ）（ｂ）（ｃ）に示すように、前記軒元側支持部材２に替えて、軒元側支持部材２Ｃを用いることができる。この軒元側支持部材２Ｃは、上側部２１と、下側部２２と、これらを繋ぐ立上部２３とを備える断面略コ字形状の軒元側支持部材本体２１０と、この軒元側支持部材本体２１０の上側部２１の下面に取り付けられた、軒天板１７を下側部２２に押し付けるバネ鋼製の付勢部２２０Ａとからなる。上側部２１の軒先側の端縁には、軒元側軒天野縁５の屋外側の縦面に当接し、水平に打ち込まれる釘（螺子でもよい）４によって軒元側軒天野縁５に固定される取り付け部２４が設けられている。取り付け部２４には、釘４の釘孔２５を設けている。バネ鋼製の付勢部２２０Ａは、軒元側から軒先側に向かって中央部が下面側に垂れ下がり、軒先側が上方に湾曲する形状で、軒元側がバーリングカシメ部２２３Ａによって上側部２１に接合されている。
【００８１】
この軒元側支持部材２Ｃを用いても、軒元側支持部材２Ｂと同様に、バネ鋼製の付勢部２２０が、軒天板１７を軒元側支持部材本体２１０の下側部２２に押し付けるので、軒天板１７の厚みにバラツキがあったり、軒天板１７の厚みが経年変化により痩せが生じたりしても、軒天板１７を下方から見上げた際に、隣合う軒天板１７に段差が生じず、見栄えを良くすることができる。
【符号の説明】
【００８２】
１、１Ａ      ：軒元側見切
１ａ      ：上側部
１ｂ      ：下側部
１ｃ      ：立上部
２、２Ａ、２Ｂ、２Ｃ      ：軒元側支持部材
２ａ      ：付勢部
３、３Ａ、３Ｂ、３Ｃ      ：軒先側支持部材
３ｃ      ：付勢部
４        ：釘
５        ：軒元側軒天野縁
７        ：熱膨張防火材
１２      ：下地
１４、１４Ａ、１４Ｂ    ：軒先側見切
１４ａ    ：上側部
１４ｂ    ：下側部
１４ｃ    ：立上部
１４ｄ    ：通気孔
１４ｅ    ：水返し
１４ｆ    ：通気孔
１７      ：軒天板
１８      ：釘
２１      ：上側部
２２      ：下側部
２３      ：立上部
２４      ：取り付け部
２５      ：釘孔
３１、３１Ａ、３１Ｂ、３１Ｃ、３１０Ａ、３１０Ｂ  ：スライド部材
３１ａ    ：凹凸部
３１ｂ    ：括れ部
３１ｄ    ：固定板部
３１ｅ    ：挿通孔
３２、３２Ａ、３２Ｂ、３２Ｃ    ：保持制限部材
３２ａ    ：突起部
３２ｂ、３２ｆ、３２ｈ    ：袋部
３２ｃ、３２ｄ    ：挿通孔
３２ｅ    ：当て部
３２ｇ    ：二重平板部
８１      ：補強用部材
８２      ：釘
２１０    ：軒元側支持部材本体
２１１    ：上側部
２１２    ：下側部
２２０    ：付勢部
２２０Ａ  ：付勢部
２２１    ：バネ片
２２２    ：連結部
２２３、２２３Ａ  ：バーリングカシメ部
２２４    ：釘孔
３１１    ：上側部
３１２    ：下側部
３１３    ：縦板部
３１３ａ  ：横円筒部
３１４    ：上側部
３１５    ：上側部
３１６    ：突起
３１７    ：付勢部
３１７ａ  ：板バネ
３２０    ：付勢部
８１０    ：取り付け板部
８１１    ：挿通孔
８２０    ：釘
３１０１  ：上側部
３１０２  ：下側部
３１０３  ：縦板部
３１０４  ：立板部
【図１】
2019130622.tif 000003
【図２】
2019130622.tif 000004
【図３】
2019130622.tif 000005
【図４】
2019130622.tif 000006
【図５】
2019130622.tif 000007
【図６】
2019130622.tif 000008
【図７】
2019130622.tif 000009
【図８】
2019130622.tif 000010
【図９】
2019130622.tif 000011
【図１０】
2019130622.tif 000012
【図１１】
2019130622.tif 000013
【図１２】
2019130622.tif 000014
【図１３】
2019130622.tif 000015
【図１４】
2019130622.tif 000016
【図１５】
2019130622.tif 000017
【図１６】
2019130622.tif 000018
【図１７】
2019130622.tif 000019
【図１８】
2019130622.tif 000020
【図１９】
2019130622.tif 000021
【図２０】
2019130622.tif 000022
【図２１】
2019130622.tif 000023
【図２２】
2019130622.tif 000024
【図２３】
2019130622.tif 000025
【図２４】
2019130622.tif 000026
【図２５】
2019130622.tif 000027
【図２６】
2019130622.tif 000028
【図２７】
2019130622.tif 000029
【図２８】
2019130622.tif 000030
【図２９】
2019130622.tif 000031
【図３０】
2019130622.tif 000032
【図３１】
2019130622.tif 000033
【図３２】
2019130622.tif 000034
【図３３】
2019130622.tif 000035
【図３４】
2019130622.tif 000036
【図３５】
2019130622.tif 000037
【図３６】
2019130622.tif 000038
【図３７】
2019130622.tif 000039
【図３８】
2019130622.tif 000040
【図３９】
2019130622.tif 000041
【図４０】
2019130622.tif 000042
【図４１】
2019130622.tif 000043
【図４２】
2019130622.tif 000044
【国際調査報告】
2019130622.tif 000045
2019130622.tif 000046